(57)【要約】【目的】  脚の動きの自由度を増し、動きによる着用感も損なわないガードルを提供する。【構成】  ガードル１０における腰部と脚部との境目に備えられるジョイント部２０の構造であって、ジョイント部２０の全体が同材質であり、ジョイント部２０は、その前部および後部において幅を狭く、その前部および後部の中間部分において幅を広く形成されており、該中間部分がガードル１０を真横から見て前後方向の中央やや前寄りにあり、ジョイント部２０の前部および後部の中間部分における縦方向の伸縮性が、その前部および後部の伸縮性よりも大きく、ジョイント部２０を形成する生地は、縦方向の伸縮性が大きく、横方向の伸縮性が小さいものであるジョイント構造を提供する。【選択図】        図１
0003104282.tif 000002
【実用新案登録請求の範囲】
【請求項１】
ガードルにおける腰部と脚部との境目に備えられるジョイント部の構造であって、
該ジョイント部の全体が同材質であり、該ジョイント部は、該ジョイント部の前部および後部において幅を狭く、該ジョイント部の前部および後部の中間部分において幅を広く形成されており、該中間部分が該ガードルを真横から見て前後方向の中央やや前寄りにあり、該ジョイント部の前部および後部の中間部分における縦方向の伸縮性が、該ジョイント部の前部および後部の伸縮性よりも大きいことを特徴とし、前記ジョイント部を形成する生地は、縦方向の伸縮性が大きく、横方向の伸縮性が小さいものであることを特徴とするジョイント構造。
【考案の詳細な説明】
【技術分野】
【０００１】
本願は、下半身を矯正するためのガードル、更に詳しくは、腰部及び脚部を備えたガードルにおいて、脚の動きを従来よりもより楽にするための構造を採用した腰部と脚部のジョイント構造に関するものである。
【背景技術】
【０００２】
従来、腰部及び脚部を有するガードルというものは、さまざまなものが提供されてきたが、腰部を基準とすると脚部に動きがあるので、通常は鼠蹊線に沿って二つの部位を分けて構成されているものが多かった。具体的には、腰部を形成する部分と、脚部を形成する部分とであり、その境目は非常に柔軟に動かしても、その動きについていけるような伸縮自在の素材を用いたジョイント部を備えるものが多かった。また、従来の上記ジョイント部は、通常、等幅のジョイント部によって形成されていた。
【０００３】
ところが、腰部に対する脚部の動きを分析してみると、以下のようなことが判った。すなわち、脚部における前後方向の中心付近と腰部における前後方向の中心付近とを結んだ線と、鼠蹊線との交点付近に最も大きな動きがあり、その他の部分は、その交点から遠ざかるほど動きは小さいものであった。この交点を、便宜上、「最大動点」と名づける。なお、その最大動点は、真横から見た場合に、前後方向の中央やや前寄りに位置していた。
【０００４】
従来のガードルは、最大動点の存在が考慮されずに、単に等幅のジョイント部として形成されてきたので、脚の動きの自由度が制限されたり、脚の動きが大きくなると、脚部がずり上がったりして、着用感が損なわれたりするという問題点があった。本願が解決すべき課題は、腰部に対する脚部の動きに適したガードルを提供することによって、脚の動きの自由度を増し、動きによる着用感も損なわないガードルを提供することである。
【考案の開示】
【考案が解決しようとする課題】
【０００５】
本願に係る考案の目的は、脚の動きの自由度を増し、動きによる着用感も損なわないガードルのための、ガードルにおける腰部と脚部とのジョイント構造を提供することにある。また、かかるジョイント構造を比較的に簡単に提供することにある。さらに、かかるジョイント構造を合理的に形成する技術を提供することにある。
【課題を解決するための手段】
【０００６】
本願に係る考案は、上記した課題を解決するためのものである。本願に係る考案は、ガードルにおける腰部と脚部との境目に備えられるジョイント部の構造であって、該ジョイント部の全体が同材質であり、該ジョイント部は、該ジョイント部の前部および後部において幅を狭く、該ジョイント部の前部および後部の中間部分において幅を広く形成されており、該中間部分が該ガードルを真横から見て前後方向の中央やや前寄りにあり、該ジョイント部の前部および後部の中間部分における縦方向の伸縮性が、該ジョイント部の前部および後部の伸縮性よりも大きいことを特徴とし、前記ジョイント部を形成する生地は、縦方向の伸縮性が大きく、横方向の伸縮性が小さいものであることを特徴とするジョイント構造であることを特徴とする。
【０００７】
ジョイント部の具体的な構造としては、例えば、等幅のジョイント部であっても、ジョイント部を形成する生地における繊維の編み方を異ならせ、前部および後部における縦方向の伸縮性を小さく、前部および後部の中間部分における縦方向の伸縮性を前部および後部の伸縮性よりも大きくするように形成したものが好適に挙げられる。
【０００８】
本願に係る考案であるジョイント構造を採用したガードルによれば、最も大きな動きのある箇所の伸縮性が動きの小さな箇所の伸縮性よりも大きく形成してあるので、脚の動きの自由度を増し、動きによるずり上がりも減少し、着用感を向上させたガードルとなる。また、本願に係る考案は、ジョイント部の全体を同材質にて形成した場合であって、ジョイント部は、前部および後部において幅を狭く、前部および後部の中間部分において幅を広く形成したことを特徴とするものである。
【０００９】
本願に係る考案によれば、ジョイント部の全体が同材質であっても、前部および後部において幅を狭く、前部および後部の中間部分において幅を広く形成したので、結果として、前部および後部の中間部分における縦方向の伸縮性を、前部および後部の伸縮性よりも大きく形成できる。したがって、本願に係る考案のジョイント構造を採用したガードルによれば、脚の動きの自由度を増し、動きによるずり上がりも減少し、着用感を向上させたガードルを、簡易に提供できることとなる。
また、本願に係る考案によれば、ジョイント部を形成する生地は、縦方向の伸縮性が大きく、横方向の伸縮性が小さいものとしたことを特徴とするものである。
【００１０】
ジョイント部は、縦方向の伸縮性は必要であるが、横方向の伸縮性はあまり必要ではない。したがって、本願に係る考案のジョイント構造を採用したガードルによれば、脚の動きの自由度を増し、動きによるずり上がりも減少し、着用感を向上させたガードルを、合理的に提供できることとなる。
【考案の効果】
【００１１】
本考案の効果としては、脚の動きの自由度を増し、動きによる着用感も損なわないガードルのための、ガードルにおける腰部と脚部とのジョイント構造を提供することができる。
【考案を実施するための最良の形態】
【００１２】
以下、本願に係る考案の実施形態を図面に基づいて更に詳しく説明する。ここで使用する図面は、図１〜図３である。図１は、本願に係る考案の第一実施形態を示すための斜視図である。図２は、本願に係る考案の第一実施形態の主要部を示すための拡大図である。図３は、本願に係る考案の第一実施形態を示すための型紙を現した図面である。
【００１３】
図１に示すガードル１０は、腰部１１、右脚部１２および左脚部１３を備えるとともに、腰部１１と右脚部１２との間、および腰部１１と左脚部１３の間には、ジョイント部２０を備えている。このジョイント部２０は、生地の伸縮性が部位によって異ならない、均一材質のものを採用している。股、前部および後部において幅を狭く、前部および後部の中間部分において幅を広く形成している。
【００１４】
なお、図３にて示したように、最も幅の広い部位は、前後方向の中心よりは前寄りの部分である。「最大動点」最大動点が前後方向の中央やや前寄りに位置しているため、それに合わせたからである。続いて、図２に基づいて説明する。図２は、型取り生地３０からジョイント部２０をくりぬく様子を示している。この型取り生地３０は、部分拡大図で明らかなように、縦方向の伸縮性が大きく、横方向の伸縮性が小さいものである。
【００１５】
上記のようなガードル１０によれば、ジョイント部２０における前部および後部において幅を狭く、前部および後部の中間部分において幅を広く形成したので、結果として、前部および後部の中間部分における縦方向の伸縮性を、前部および後部の伸縮性よりも大きく形成できる。腰部１１に対する両脚部１２，１３の動きの自由度を増し、その動きによる両脚部１２，１３のずり上がりも減少し、着用感を向上させたガードル１０を、簡易に提供できることとなる。
【図面の簡単な説明】
【００１６】
【図１】本願に係る考案の第一の実施形態を示すための斜視図である。
【図２】本願に係る考案の第一実施形態の主要部を示すための拡大図である。
【図３】本願に係る考案の第一実施形態のを示すための型紙を現した図面である。
【符号の説明】
【００１７】
１０ ガードル
１１ 腰部
１２ 右脚部
１３ 左脚部
２０ ジョイント部
３０ 型取り生地
【図１】
0003104282.tif 000003
【図２】
0003104282.tif 000004
【図３】
0003104282.tif 000005